(57)【特許請求の範囲】
【請求項１】
入金したバラ貨幣を収納するバラ貨幣収納部と、
前記バラ貨幣収納部から繰り出されたバラ貨幣を結束又は包装する結束包装部と、
前記バラ貨幣収納部の現在収納枚数が開始閾値に到達した場合、前記バラ貨幣収納部に収納された前記バラ貨幣の結束又は包装を開始すべく、前記結束包装部を駆動制御する駆動制御部と、
前記結束包装部にて結束又は包装した結束又は包装貨幣の回収を要求する所定条件を検出すると、前記バラ貨幣収納部に収納されたバラ貨幣の現在収納枚数を減らすべく、前記開始閾値を減少方向に設定変更する制御部と
を有することを特徴とする貨幣処理装置。
【請求項２】
前記制御部は、
前記バラ貨幣の回収を要求する所定条件を検出すると、前記バラ貨幣収納部に収納されたバラ貨幣の現在収納枚数を増やすべく、前記開始閾値を増加方向に設定することを特徴とする請求項１に記載の貨幣処理装置。
【請求項３】
前記制御部は、
店舗内の全バラ貨幣の保有量を管理する管理装置と接続し、前記管理装置で管理する全バラ貨幣の保有量に基づき、前記開始閾値を設定変更することを特徴とする請求項１又は２の何れか一つに記載の貨幣処理装置。
【請求項４】
入金したバラ貨幣をバラ貨幣収納部に収納する収納ステップと、
前記バラ貨幣収納部から繰り出されるバラ貨幣を結束又は包装する結束包装ステップと、
前記バラ貨幣収納部の現在収納枚数が開始閾値に到達した場合、前記バラ貨幣収納部に収納された前記バラ貨幣の結束又は包装を開始する駆動制御ステップと、
前記結束包装ステップにて結束又は包装した結束又は包装貨幣の回収を要求する所定条件を検出すると、前記バラ貨幣収納部に収納されたバラ貨幣の現在収納枚数を減らすべく、前記開始閾値を減少方向に設定変更する制御ステップと
を含むことを特徴とする貨幣処理方法。
【発明の詳細な説明】
【技術分野】
【０００１】
本発明は、例えば、バラ貨幣を包装又は結束する包装結束機能を備えた貨幣処理装置及び貨幣処理方法に関する。
【背景技術】
【０００２】
従来の貨幣処理装置では、バラ貨幣を収納するバラ貨幣収納部と、バラ貨幣収納部に収納されたバラ貨幣を結束又は包装する結束包装部と、結束包装部で結束又は包装した貨幣を収納する包装貨幣収納部とを有している。
【０００３】
この貨幣処理装置では、バラ貨幣収納部に収納されたバラ貨幣を結束又は包装し、これら結束又は包装した貨幣を包装貨幣収納部に収納する自動収集処理を実行する技術が知られている（例えば、特許文献１参照）。
【０００４】
特許文献１の貨幣処理装置では、下記に説明する第１位から第３位までの優先条件に基づき、自動収集処理を開始している。
【０００５】
例えば、第１位の優先条件は、バラ貨幣収納部の現在収納枚数がフルになった場合、第２位の優先条件は、包装貨幣収納部の現在収納枚数が規定量以下、かつバラ貨幣収納部の現在収納枚数がニアエンプティ以上の場合である。更に、第３位の優先条件は、バラ貨幣収納部の現在収納枚数がニアフル以上の場合である。
【０００６】
第１位及び第３位の優先条件は、バラ貨幣収納部の空き収納容量を確保する場合の条件である。これに対して、第２位の優先条件は、包装貨幣収納部の現在収納枚数が減少したため、バラ貨幣を包装することでバラ貨幣収納部の現在収納枚数を減らす場合の条件である。
【０００７】
また、一般的に金融機関の現送による現金回収では、その回収対象が硬貨の場合、所定枚数分、例えば、５０枚分の硬貨を包装した棒金ではなく、バラ硬貨で回収するのが慣例である。
【０００８】
また、回収対象が紙幣の場合、所定枚数、例えば、１００枚単位で紙幣を結束し、その束紙幣で回収するのが慣例である。つまり、硬貨はバラ硬貨、紙幣は束紙幣のように、回収対象の貨幣種別に応じて回収形態が異なっているのが実情である。
【先行技術文献】
【特許文献】
【０００９】
【特許文献１】特開２００６−２１５８１０号公報（請求項１及び図１参照）
【発明の概要】
【発明が解決しようとする課題】
【００１０】
しかしながら、特許文献１の貨幣処理装置では、バラ硬貨の現在収納枚数がフル又はニアフル以上になると、自動収集処理を開始してバラ硬貨を包装して棒金を作成することになるため、現金回収時に回収対象のバラ硬貨が少なくなって、硬貨回収量が減ってしまう。
【００１１】
そこで、特許文献１の貨幣処理装置では、硬貨回収量を増やすべく、わざわざ棒金を崩して、回収対象のバラ硬貨を確保しなければならず、無駄な作業を要する。
【００１２】
また、特許文献１の貨幣処理装置では、束紙幣の現在収納枚数が規定量を超えると、束紙幣を作成することができず、バラ紙幣の現在収納枚数が増えてしまうため、現金回収時に回収対象の束紙幣が少なくなって、紙幣回収量が減ってしまう。
【００１３】
本発明は上記点に鑑みてなされたものであり、その目的とするところは、バラ貨幣及び結束包装貨幣の用途等の条件に応じて、バラ貨幣及び結束包装貨幣の現在量を調整できる貨幣処理装置及び貨幣処理方法を提供することにある。
【課題を解決するための手段】
【００１４】
上記目的を達成するために本発明の貨幣処理装置は、入金したバラ貨幣を収納するバラ貨幣収納部と、前記バラ貨幣収納部から繰り出されたバラ貨幣を結束又は包装する結束包装部と、前記バラ貨幣収納部の現在収納枚数が開始閾値に到達した場合、前記バラ貨幣収納部に収納された前記バラ貨幣の結束又は包装を開始すべく、前記結束包装部を駆動制御する駆動制御部と、前記結束包装部にて結束又は包装した結束又は包装貨幣の回収を要求する所定条件を検出すると、前記バラ貨幣収納部に収納されたバラ貨幣の現在収納枚数を減らすべく、前記開始閾値を減少方向に設定変更する制御部とを有するようにした。
【００１７】
また、本発明の貨幣処理装置は、上記発明の構成において、前記制御部は、前記バラ貨幣の回収を要求する所定条件を検出すると、前記バラ貨幣収納部に収納されたバラ貨幣の現在収納枚数を増やすべく、前記開始閾値を増加方向に設定するようにした。
【００１８】
また、本発明の貨幣処理装置は、上記発明の構成において、前記制御部は、店舗内の全バラ貨幣の保有量を管理する管理装置と接続し、前記管理装置で管理する全バラ貨幣の保有量に基づき、前記開始閾値を設定変更するようにした。
【００１９】
また、上記目的を達成するために本発明の貨幣処理方法は、入金したバラ貨幣をバラ貨幣収納部に収納する収納ステップと、前記バラ貨幣収納部から繰り出されるバラ貨幣を結束又は包装する結束包装ステップと、前記バラ貨幣収納部の現在収納枚数が開始閾値に到達した場合、前記バラ貨幣収納部に収納された前記バラ貨幣の結束又は包装を開始する駆動制御ステップと、前記結束包装ステップにて結束又は包装した結束又は包装貨幣の回収を要求する所定条件を検出すると、前記バラ貨幣収納部に収納されたバラ貨幣の現在収納枚数を減らすべく、前記開始閾値を減少方向に設定変更する制御ステップとを含むようにした。
また、本発明の貨幣処理方法は、上記発明の構成において、前記制御ステップは、前記バラ貨幣の回収を要求する所定条件を検出すると、前記バラ貨幣収納部に収納されたバラ貨幣の現在収納枚数を増やすべく、前記開始閾値を増加方向に設定するようにした。
【発明の効果】
【００２０】
本発明によれば、結束又は包装した結束又は包装貨幣の回収を要求する所定条件を検出すると、バラ貨幣の現在収納枚数を減らすべく、開始閾値を減少方向に設定する。その結果、本発明では、バラ貨幣を結束する機会が増えて、紙幣回収時の回収対象である結束又は包装した結束又は包装貨幣を大量に確保できるという効果を奏する。
【００２３】
また、本発明によれば、バラ貨幣の回収を要求する所定条件を検出すると、バラ貨幣の現在収納枚数を増やすべく、開始閾値を増加方向に設定する。その結果、本発明では、バラ貨幣を包装する機会が減って、貨幣回収時の回収対象であるバラ貨幣を大量に確保できるという効果を奏する。
【００２４】
また、本発明によれば、店舗内の全バラ貨幣の保有量に基づき、開始閾値を設定変更するので、店舗内の全バラ貨幣の保有量でバラ貨幣及び結束包装貨幣の現在量を調整できるという効果を奏する。
【図面の簡単な説明】
【００２６】
【図１】図１は、本実施例の貨幣処理装置の外観構成を示す説明図である。
【図２】図２は、貨幣処理装置の内部構成を示すブロック図である。
【図３】図３は、記憶部及びＣＰＵの内部構成を示すブロック図である。
【図４】図４は、自動収集処理の閾値設定画面の一例を示す説明図である。
【図５】図５は、バラ紙幣入出金部の内部構成を示すブロック図である。
【図６】図６は、束紙幣出金部の内部構成を示すブロック図である。
【図７】図７は、バラ硬貨入出金部の内部構成を示すブロック図である。
【図８】図８は、棒金出金部の内部構成を示すブロック図である。
【図９】図９は、硬貨用自動収集処理に関わる制御部内部の処理動作を示すフローチャートである。
【図１０】図１０は、硬貨用自動収集処理に関わる通常自動収集処理及び回収前自動収集処理に関わる開始閾値及び終了閾値の関係を示す説明図である。
【図１１】図１１は、紙幣用自動収集処理に関わる制御部内部の処理動作を示すフローチャートである。
【図１２】図１２は、繁忙時間帯の自動収集処理に関わる開始閾値及び終了閾値の関係を示す説明図である。
【発明を実施するための形態】
【００２７】
以下、図面に基づき本発明の貨幣処理装置及び貨幣処理方法に関わる実施例を示す貨幣処理装置について詳細に説明する。
【００２８】
まず、最初に本実施例の概要を説明するとすれば、その概要は、入金したバラ貨幣を収納するバラ貨幣収納部と、バラ貨幣収納部から繰り出されたバラ貨幣を結束又は包装する結束包装部とを有する貨幣処理装置である。
【００２９】
更に、貨幣処理装置は、バラ貨幣収納部の現在収納枚数が開始閾値に到達した場合、バラ貨幣収納部に収納されたバラ貨幣の結束又は包装を開始すべく、結束包装部を駆動制御する駆動制御部と、所定条件に応じて、開始閾値を設定変更する制御部とを有している。
【００３０】
本実施例では、バラ貨幣収納部の現在収納枚数が開始閾値に到達した場合、バラ貨幣収納部に収納されたバラ貨幣の結束又は包装を開始すると共に、所定条件に応じて、開始閾値を設定変更する。
【００３１】
その結果、本実施例では、用途等の所定条件に応じて、バラ貨幣の結束又は包装を開始する開始閾値を適宜設定変更し、貨幣処理装置内のバラ貨幣及び結束包装貨幣の現在量を調整できるというものである。
【実施例】
【００３２】
図１は、本実施例の貨幣処理装置の外観構成を示す説明図である。
【００３３】
図１に示す貨幣処理装置１は、束紙幣を出金する束紙幣出金部２と、バラ紙幣を入出金するバラ紙幣入出金部３と、新券を出金する新券出金部４とを有している。
【００３４】
更に、貨幣処理装置１は、包装硬貨（以下、単に棒金と称する）を出金する棒金出金部５と、バラ硬貨を入出金するバラ硬貨入出金部６とを有している。
【００３５】
更に、貨幣処理装置１は、出金伝票に認証印字を実行する認証印字用プリンタ１１と、貨幣処理装置１の各種操作用のキーを表示するタッチパネルからなる操作表示部１２とを有している。
【００３６】
更に、貨幣処理装置１は、ユーザを識別するＩＤ情報を格納したＩＤカードを処理するカード処理部１３と、レシート発行部１４と、小切手、手形等を入れる現金外ボックス１５と、通帳への印字等を行う通帳処理部１６とを有している。
【００３７】
図２は、貨幣処理装置１の内部構成を示すブロック図である。
【００３８】
図２に示す貨幣処理装置１は、認証印字用プリンタ１１、操作表示部１２、カード処理部１３、レシート発行部１４及び通帳処理部１６、新券出金部４の他に、紙幣に対する処理を実行する紙幣処理部１７と、硬貨に対する処理を実行する硬貨処理部１８とを有している。
【００３９】
紙幣処理部１７は、束紙幣出金部２及びバラ紙幣入出金部３を有し、束紙幣出金部２内部にバラ紙幣を１００枚単位で結束して、該当金種の束紙幣を作成する紙幣結束部２Ａを有している。
【００４０】
硬貨処理部１８は、棒金出金部５及びバラ硬貨入出金部６を有し、棒金出金部５内部にバラ硬貨を５０枚単位で包装して、該当金種の棒金を作成する硬貨包装部５Ａを有している。
【００４１】
更に、貨幣処理装置１は、貨幣処理装置１全体を制御するターミナル部１９を有している。
【００４２】
更に、ターミナル部１９は、貨幣処理装置１全体の通信制御を司る通信制御部２１と、各種情報を記憶する記憶部２２と、各種プログラム等を記憶するＲＯＭ（Ｒｅａｄ  Ｏｎｌｙ  Ｍｅｍｏｒｙ）２３とを有している。
【００４３】
また、ターミナル部１９は、作業領域等のＲＡＭ（Ｒａｎｄｏｍ  Ａｃｃｅｓｓ  Ｍｅｍｏｒｙ）２４と、貨幣処理装置１全体を制御するＣＰＵ（Ｃｅｎｔｒａｌ  Ｐｒｏｏｃｃｅｓｉｎｇ  Ｕｎｉｔ）２５とを有している。
【００４４】
図３は、記憶部２２及びＣＰＵ２５の内部構成を示すブロック図である。
【００４５】
図３に示すＣＰＵ２５は、硬貨処理部１８、紙幣処理部１７及び新券出金部４を駆動制御する駆動制御部２５Ａと、ＣＰＵ２５全体を制御する制御部２５Ｂとを有している。
【００４６】
記憶部２２は、後述する、予め設定した自動収集処理毎に設定閾値、すなわち開始閾値及び終了閾値を管理する閾値テーブル２２Ａと、現在設定中の自動収集処理の設定閾値を設定記憶する現在閾値記憶部２２Ｂとを有している。
【００４７】
制御部２５Ｂは、操作表示部１２を通じて、自動収集処理の開始閾値及び終了閾値を任意設定可能とし、その設定した開始閾値及び終了閾値を閾値テーブル２２Ａに管理するものである。
【００４８】
また、制御部２５Ｂは、貨幣処理装置１内のバラ貨幣及び結束包装貨幣の現在収納枚数を監視する収納枚数監視部２５１と、閾値テーブル２２Ａから用途条件に応じた自動収集処理の設定閾値を現在閾値記憶部２２Ｂに設定する閾値設定部２５２とを有している。
【００４９】
収納枚数監視部２５１は、バラ硬貨入出金部６内のバラ硬貨の現在収納枚数、棒金出金部５内の棒金の現在収納枚数（本数）、バラ紙幣入出金部３内のバラ紙幣の現在収納枚数及び束紙幣出金部２内の束紙幣の現在収納枚数（束数）を該当金種毎に監視するものである。
【００５０】
自動収集処理とは、バラ貨幣の現在収納枚数が開始閾値に到達した場合、バラ貨幣に対する包装動作又は結束動作を自動的に開始し、バラ貨幣の現在収納枚数が終了閾値未満になった場合、バラ貨幣に対する包装動作又は結束動作を終了するものである。
【００５１】
閾値設定部２５２は、閾値テーブル２２Ａから設定すべき自動収集処理の開始閾値及び終了閾値を現在設定閾値として現在閾値記憶部２２Ｂに設定記憶するものである。
【００５２】
更に、制御部２５Ｂは、収納枚数監視部２５１を通じてバラ貨幣の現在収納枚数が自動収集処理の開始閾値に到達したか否かを判定すると共に、そのバラ貨幣の現在収納枚数量が終了閾値未満であるか否かを判定する閾値判定部２５３を有している。
【００５３】
閾値判定部２５３は、バラ硬貨の現在収納枚数が硬貨用自動収集処理の開始閾値に到達した場合、バラ硬貨に対して硬貨包装部５Ａの包装動作を開始し、バラ硬貨の現在収納枚数が硬貨用自動収集処理の終了閾値未満となった場合、包装動作を終了するものである。
【００５４】
また、閾値判定部２５３は、バラ紙幣の現在収納枚数が紙幣用自動収集処理の開始閾値に到達した場合、バラ紙幣に対する紙幣結束部２Ａの結束動作を開始する。更に、閾値判定部２５３は、バラ紙幣の現在収納枚数が紙幣用自動収集処理の終了閾値未満となった場合、この結束動作を終了するものである。
【００５５】
図４は、自動収集処理の閾値設定画面の一例を示す説明図である。
【００５６】
図４に示す操作表示部１２の設定画面１２０上には、例えば、硬貨用自動収集処理の設定閾値を設定する画面を画面表示し、該当金種１２１毎に、開始閾値として開始枚数１２２及び終了閾値として終了枚数１２３を設定可能とするものである。
【００５７】
制御部２５Ｂは、閾値設定画面上で自動収集処理毎に該当金種の設定閾値を設定すると、その該当金種の設定閾値を閾値テーブル２２Ａに管理するものである。つまり、ユーザは、閾値設定画面上で設定閾値を適宜設定変更可能である。
【００５８】
図５は、バラ紙幣入出金部３の内部構成を示すブロック図である。
【００５９】
図５に示すバラ紙幣入出金部３は、バラ紙幣を入金する紙幣入金口３０１と、バラ紙幣を出金する紙幣出金口３０２と、入金紙幣の金種や真偽を識別する入金識別部３０３と、入金紙幣の表裏を揃える表裏反転部３０４とを有している。
【００６０】
更に、バラ紙幣入出金部３は、入金識別部３０３の識別結果に基づき、入金紙幣が偽紙幣若しくは汚損等で識別不能な場合、その入金紙幣をリジェクトする第１リジェクト部３０５を有している。
【００６１】
更に、バラ紙幣入出金部３は、入金識別部３０３の識別結果に基づき、金種毎にバラ紙幣を収納するバラ紙幣収納部３０６と、バラ紙幣出金時に、バラ紙幣収納部３０６から繰り出された紙幣を識別する出金識別部３０７とを有している。尚、バラ紙幣収納部３０６は、５個の収納部を有し、各収納部は、例えば、１万円札、５千円札、２千円札及び１千円札等のバラ紙幣を夫々収納するものである。
【００６２】
また、バラ紙幣入出金部３は、バラ紙幣を束紙幣にする自動収集処理を開始した場合、バラ紙幣収納部３０６から繰り出されたバラ紙幣を１００枚単位で集積する２個の結束用集積部３０８を有している。
【００６３】
バラ紙幣入出金部３は、この結束用集積部３０８に集積された１００枚単位のバラ紙幣を束紙幣出金部２に搬送する束搬送部３０９と、出金識別部３０７で出金紙幣が識別不能な場合、その出金紙幣をリジェクトする第２リジェクト部３０５Ａとを有している。
【００６４】
図６は、束紙幣出金部２の内部構成を示すブロック図である。
【００６５】
図６に示す束紙幣出金部２は、束紙幣を出金する束出金口２０１と、バラ紙幣入出金部３の束搬送部３０９を通じて結束前の１００枚単位のバラ紙幣を取得すると、これらバラ紙幣を結束帯で結束して束紙幣を作成する紙幣結束部２Ａとを有している。
【００６６】
更に、束紙幣出金部２は、束紙幣を一時的に集積する一時集積部２０２と、一時集積部２０２に集積された束紙幣を該当金種毎に識別収納する束紙幣収納部２０３とを有している。尚、束紙幣収納部２０３は、５個の収納部を有し、各収納部は、例えば、１万円札、５千円札、２千円札及び１千円札等の束紙幣を夫々収納するものである。
【００６７】
束紙幣出金部２は、紙幣結束部２Ａにて束紙幣を作成すると、束出金口２０１又は一時集積部２０２に搬送するものである。
【００６８】
また、束紙幣出金部２は、両替等で束紙幣での出金が要求された場合、束紙幣収納部２０３から該当金種の束紙幣を一時集積部２０２に搬送集積し、その束紙幣を束出金口２０１から排出するものである。
【００６９】
図７は、バラ硬貨入出金部６の内部構成を示すブロック図である。
【００７０】
図７に示すバラ硬貨入出金部６は、バラ硬貨を入金する硬貨入金口６０１と、バラ硬貨を出金する硬貨出金口６０２と、入金硬貨の金種や真偽を識別する入金識別部６０３と、該当金種毎にバラ硬貨を収納するバラ硬貨収納部６０４とを有している。尚、バラ硬貨収納部６０４は、６個の収納部を有し、各収納部は、例えば、１円玉、５円玉、１０円玉、５０円玉、１００円玉及び５００円玉のバラ硬貨を夫々収納するものである。
【００７１】
バラ硬貨入出金部６は、出金の場合、バラ硬貨収納部６０４から繰り出される該当金種の硬貨を硬貨出金口６０２から排出するものである。
【００７２】
また、バラ硬貨入出金部６は、棒金を作成する自動収集処理を開始すると、バラ硬貨収納部６０４から繰り出された硬貨を５０枚単位に包装した棒金を作成すべく、硬貨を棒金出金部５に搬送する硬貨搬送部６０５を有している。
【００７３】
図８は、棒金出金部５の内部構成を示すブロック図である。
【００７４】
図８に示す棒金出金部５は、バラ硬貨入出金部６の硬貨搬送部６０５を通じて５０枚単位の硬貨を搬送すると、硬貨を包装して棒金を作成する硬貨包装部５Ａと、硬貨包装部５Ａで作成した棒金を金種毎に収納する棒金収納部５０１とを有している。尚、棒金収納部５０１は、６個の収納部を有し、各収納部は、例えば、１円玉、５円玉、１０円玉、５０円玉、１００円玉及び５００円玉の棒金を夫々収納するものである。
【００７５】
更に、棒金出金部５は、両替等で棒金での出金が要求された場合、棒金収納部５０１から該当金種の棒金が取り出され、その棒金出金口５０２から排出される。
【００７６】
尚、請求項記載の貨幣処理装置は貨幣処理装置１、バラ貨幣収納部はバラ紙幣収納部３０６又はバラ硬貨収納部６０４、結束包装部は紙幣結束部２Ａ又は硬貨包装部５Ａ、駆動制御部は駆動制御部２５Ａ、収納枚数監視部２５１及び閾値判定部２５３、制御部は制御部２５Ｂ及び閾値設定部２５２に対応するものである。
【００７７】
次に、本実施例の貨幣処理装置１の動作について説明する。図９は、硬貨用自動収集処理に関わる制御部２５Ｂ内部の処理動作を示すフローチャートである。
【００７８】
例えば、貨幣処理装置１内の硬貨を回収する硬貨回収日の１週間前では、大量の硬貨を回収してもらうために、硬貨回収日までに大量のバラ硬貨を確保する必要がある。
【００７９】
そこで、ユーザは、通常よりも棒金の本数を減らして大量のバラ硬貨を確保するために、硬貨用自動収集処理の開始閾値及び終了閾値を設定する必要がある。
【００８０】
尚、閾値テーブル２２Ａには、例えば、開始閾値を７００枚、終了閾値を５００枚とする通常自動収集処理の設定閾値の他に、開始閾値を１８００枚、終了閾値を１６００枚とする回収前自動収集処理の設定閾値を管理しているものとする。
【００８１】
制御部２５Ｂは、硬貨用の変更タイミングを検出したか否かを判定する（ステップＳ１１）。尚、硬貨用の変更タイミングは、硬貨用自動収集処理の設定閾値を変更するタイミング、例えば、現在日時が硬貨回収日から１週間前のタイミングに相当し、例えば、通常自動収集処理の設定閾値から回収前自動収集処理の設定閾値に設定変更するタイミングに相当するものである。
【００８２】
制御部２５Ｂ内部の閾値設定部２５２は、硬貨用の変更タイミングを検出した場合（ステップＳ１１肯定）、硬貨用の変更タイミングに対応した閾値テーブル２２Ａ内の設定閾値の内、例えば、回収前自動収集処理の設定閾値を現在閾値記憶部２２Ｂに設定する（ステップＳ１２）。尚、閾値設定部２５２は、回収前自動収集処理の設定閾値である開始閾値及び終了閾値を現在閾値記憶部２２Ｂに設定するものである。
【００８３】
制御部２５Ｂ内の閾値判定部２５３は、開始閾値及び終了閾値を設定すると、収納枚数監視部２５１を通じてバラ硬貨の現在収納枚数が開始閾値に到達したか否かを判定する（ステップＳ１３）。尚、収納枚数監視部２５１は、バラ硬貨収納部６０４の該当金種のバラ硬貨の現在収納枚数を監視するものである。
【００８４】
制御部２５Ｂは、バラ硬貨の現在収納枚数が開始閾値に到達した場合（ステップＳ１３肯定）、駆動制御部２５Ａを通じてバラ硬貨に対する自動収集処理を開始し（ステップＳ１４）、当該バラ硬貨に対する包装動作を棒金出金部５に指示する（ステップＳ１５）。その結果、棒金出金部５内の硬貨包装部５Ａは、バラ硬貨収納部６０４の該当金種のバラ硬貨を包装して棒金を作成する。
【００８５】
閾値判定部２５３は、収納枚数監視部２５１を通じて、該当金種のバラ硬貨の現在収納枚数が終了閾値未満となったか否かを判定する（ステップＳ１６）。
【００８６】
制御部２５Ｂは、該当金種のバラ硬貨の現在収納枚数が終了閾値未満となった場合（ステップＳ１６肯定）、棒金を作成する包装動作を停止すべく、この自動収集処理を終了し（ステップＳ１７）、図９に示す処理動作を終了する。
【００８７】
制御部２５Ｂは、硬貨用の変更タイミングを検出しなかった場合（ステップＳ１１否定）、図９に示す処理動作を終了する。
【００８８】
また、閾値判定部２５３は、該当金種のバラ硬貨の現在収納枚数が開始閾値に到達していない場合（ステップＳ１３否定）、硬貨用の変更タイミングを検出したか否かを判定する（ステップＳ１８）。
【００８９】
また、制御部２５Ｂは、硬貨用の変更タイミングを検出した場合（ステップＳ１８肯定）、新たな硬貨用の変更タイミングに対応する開始閾値及び終了閾値を設定すべく、ステップＳ１２に移行する。
【００９０】
また、制御部２５Ｂは、硬貨用の変更タイミングを検出しなかった場合（ステップＳ１８否定）、該当金種のバラ硬貨の現在収納枚数が開始閾値に到達したか否かを判定すべく、ステップＳ１３に移行する。
【００９１】
また、制御部２５Ｂは、該当金種のバラ硬貨の現在収納枚数が終了閾値未満でなかった場合（ステップＳ１６否定）、新たな硬貨用の変更タイミングを検出したか否かを判定すべく、ステップＳ１８に移行する。
【００９２】
図９に示す硬貨用自動収集処理では、回収前自動収集処理を設定した場合、該当金種のバラ硬貨に対する棒金作成の機会を減らすことで、該当金種のバラ硬貨の枚数を徐々に増やして、回収対象の大量のバラ硬貨を確保できる。その結果、回収対象のバラ硬貨を確保するために、わざわざ棒金を崩す作業も必要なく、回収対象のバラ硬貨を大量に確保できる。
【００９３】
図１０は、硬貨用自動収集処理に関わる通常自動収集処理及び回収前自動収集処理に関わる開始閾値及び終了閾値の関係を示す説明図である。
【００９４】
図１０（Ｂ）に示す回収前自動収集処理の開始閾値及び終了閾値は、図１０（Ａ）に示す通常自動収集処理時の開始閾値及び終了閾値に比較して、開始閾値及び終了閾値の設定値を高めに設定する。その結果、バラ硬貨に対する棒金作成の機会を減らしている。
【００９５】
尚、回収前自動収集処理では、回収対象のバラ硬貨の枚数を増やしたが、例えば、バラ硬貨の枚数を減らして棒金の本数を確保する場合、硬貨用自動収集処理の開始閾値及び終了閾値の設定値を通常自動収集処理時よりも低めに設定することで実現可能である。
【００９６】
図１１は、紙幣用自動収集処理に関わる制御部２５Ｂ内部の処理動作を示すフローチャートである。
【００９７】
例えば、貨幣処理装置１内の紙幣を回収する紙幣回収日の１週間前では、大量の紙幣を回収してもらうために、紙幣回収日までに大量の束紙幣を確保する必要がある。
【００９８】
そこで、ユーザは、通常よりもバラ紙幣の枚数を減らして大量の束紙幣を確保するために、紙幣用自動収集処理の開始閾値及び終了閾値を設定する必要がある。
【００９９】
尚、閾値テーブル２２Ａには、例えば、開始閾値を１２００枚、終了閾値を８００枚とする通常自動収集処理の設定閾値の他に、開始閾値を８００枚、終了閾値を４００枚とする回収前自動収集処理の設定閾値を管理しているものとする。
【０１００】
制御部２５Ｂは、紙幣用の変更タイミングを検出したか否かを判定する（ステップＳ２１）。尚、紙幣用の変更タイミングは、紙幣用自動収集処理の設定閾値を変更するタイミング、例えば、現在日時が紙幣回収日から１週間前到達のタイミングに相当し、例えば、通常自動収集処理の設定閾値から回収前自動収集処理の設定閾値に設定変更するタイミングに相当するものである。
【０１０１】
閾値設定部２５２は、紙幣用の変更タイミングを検出した場合（ステップＳ２１肯定）、紙幣用の変更タイミングに対応した閾値テーブル２２Ａ内の設定閾値の内、例えば、回収前自動収集処理の設定閾値を現在閾値記憶部２２Ｂに設定する（ステップＳ２２）。尚、閾値設定部２５２は、回収前自動収集処理の設定閾値である開始閾値及び終了閾値を現在閾値記憶部２２Ｂに設定するものである。
【０１０２】
閾値判定部２５３は、開始閾値及び終了閾値を設定すると、収納枚数監視部２５１を通じてバラ紙幣の現在収納枚数が開始閾値に到達したか否かを判定する（ステップＳ２３）。尚、収納枚数監視部２５１は、バラ紙幣収納部３０６の該当金種のバラ紙幣の現在収納枚数を監視するものである。
【０１０３】
制御部２５Ｂは、バラ紙幣の現在収納枚数が開始閾値に到達した場合（ステップＳ２３肯定）、駆動制御部２５Ａを通じてバラ紙幣に対する自動収集処理を開始し（ステップＳ２４）、当該バラ紙幣に対する結束動作を束紙幣出金部２に指示する（ステップＳ２５）。その結果、束紙幣出金部２内の紙幣結束部２Ａは、バラ紙幣収納部３０６の該当金種のバラ紙幣を結束して束紙幣を作成する。
【０１０４】
閾値判定部２５３は、該当金種のバラ紙幣の現在収納枚数が終了閾値未満となったか否かを判定する（ステップＳ２６）。
【０１０５】
制御部２５Ｂは、該当金種のバラ紙幣の現在収納枚数が終了閾値未満となった場合（ステップＳ２６肯定）、この自動収集処理を終了し（ステップＳ２７）、図１１に示す処理動作を終了する。
【０１０６】
制御部２５Ｂは、紙幣用の変更タイミングを検出しなかった場合（ステップＳ２１否定）、図１１に示す処理動作を終了する。
【０１０７】
また、閾値判定部２５３は、該当金種のバラ紙幣の現在収納枚数が開始閾値に到達していない場合（ステップＳ２３否定）、紙幣用の変更タイミングを検出したか否かを判定する（ステップＳ２８）。
【０１０８】
また、制御部２５Ｂは、紙幣用の変更タイミングを検出した場合（ステップＳ２８肯定）、新たな紙幣用の変更タイミングに対応する開始閾値及び終了閾値を設定すべく、ステップＳ２２に移行する。
【０１０９】
また、制御部２５Ｂは、紙幣用の変更タイミングを検出しなかった場合（ステップＳ２８否定）、該当金種のバラ紙幣の現在収納枚数が開始閾値に到達したか否かを判定すべく、ステップＳ２３に移行する。
【０１１０】
また、閾値判定部２５３は、該当金種のバラ紙幣の現在収納枚数が終了閾値未満でなかった場合（ステップＳ２６否定）、新たな紙幣用の変更タイミングを検出したか否かを判定すべく、ステップＳ２８に移行する。
【０１１１】
図１１に示す紙幣用自動収集処理では、回収前自動収集処理を設定した場合、該当金種のバラ紙幣に対する束紙幣作成の機会を増やすことで、該当金種のバラ紙幣の枚数を徐々に減らしながら、回収対象の大量の束紙幣を確保できる。
【０１１２】
尚、回収前自動収集処理では、回収対象の束紙幣の束数を増やしたが、例えば、束紙幣の束数を減らしてバラ紙幣の枚数を増やすような場合、紙幣用自動収集処理の開始閾値及び終了閾値を通常自動収集処理時よりも高めに設定することで実現可能である。
【０１１３】
本実施例では、バラ硬貨の現在収納枚数が開始閾値に到達した場合、バラ硬貨の包装動作を開始すると共に、変更タイミングに応じて、開始閾値を設定変更する。その結果、本実施例では、例えば、用途等の変更タイミングに応じて、バラ硬貨の包装動作を開始する開始閾値を適宜設定変更し、貨幣処理装置１内のバラ硬貨及び棒金の現在量を調整できる。
【０１１４】
本実施例では、バラ硬貨の現在収納枚数が終了閾値未満の場合、バラ硬貨の包装動作を終了すると共に、変更タイミングに応じて、終了閾値を設定変更する。その結果、本実施例では、例えば、用途等の変更タイミングに応じて、バラ硬貨の包装動作を終了する終了閾値を適宜設定変更し、貨幣処理装置１内のバラ硬貨及び棒金の現在量を調整できる。
【０１１５】
また、本実施例では、バラ紙幣の現在収納枚数が開始閾値に到達した場合、バラ紙幣の結束動作を開始すると共に、変更タイミングに応じて、開始閾値を設定変更する。その結果、本実施例では、例えば、用途等の変更タイミングに応じて、バラ紙幣の結束動作を開始する開始閾値を適宜設定変更し、貨幣処理装置１内のバラ紙幣及び束紙幣の現在量を調整できる。
【０１１６】
本実施例では、バラ紙幣の現在収納枚数が終了閾値未満の場合、バラ紙幣の結束動作を終了すると共に、変更タイミングに応じて、終了閾値を設定変更する。その結果、本実施例では、例えば、用途等の変更タイミングに応じて、バラ紙幣の結束動作を終了する終了閾値を適宜設定変更し、貨幣処理装置１内のバラ紙幣貨幣及び束紙幣の現在量を調整できる。
【０１１７】
また、本実施例では、バラ硬貨の回収を要求する回収前自動収集処理に移行する変更タイミングを検出すると、バラ硬貨の現在収納枚数を増やすべく、開始閾値を増加方向に設定する。その結果、本実施例では、バラ硬貨を包装する機会が減って、硬貨回収時の回収対象であるバラ硬貨を大量に確保できる。
【０１１８】
また、本実施例では、束紙幣の回収を要求する回収前自動収集処理に移行する変更タイミングを検出すると、バラ紙幣の現在収納枚数を減らすべく、開始閾値を減少方向に設定する。その結果、本実施例では、バラ紙幣を結束する機会が増えて、紙幣回収時の回収対象である束紙幣を大量に確保できる。
【０１１９】
尚、本実施例では、自動収集処理の開始閾値及び終了閾値に基づき、貨幣処理装置１内のバラ硬貨（バラ紙幣）及び棒金（束紙幣）の現在量を調整した。しかしながら、閾値設定画面上のユーザ設定操作で開始閾値及び終了閾値を適宜変更できるため、その用途に応じて、バラ硬貨（バラ紙幣）及び棒金（束紙幣）の現在量を自由に調整できる。
【０１２０】
尚、本実施例では、硬貨はバラ硬貨、紙幣は束紙幣を回収するために、回収するタイミングで、これらの貨幣が増えるように閾値を設定変更するようにしたが、回収する貨幣が棒金やバラ紙幣の場合には、これらの貨幣が増えるように、閾値を設定変更することは言うまでもない。
【０１２１】
また、本実施例では、例えば、通常自動収集処理を設定した場合、バラ硬貨（バラ紙幣）の現在収納枚数が開始閾値に到達した場合、バラ硬貨（バラ紙幣）に対して包装動作（結束動作）を開始する。しかしながら、繁忙時間帯も同様に、バラ硬貨（バラ紙幣）に対して包装動作（結束動作）を実行した場合、束紙幣出金部２及び棒金出金部５側の負担が大きく、その出金動作が低下してしまうことも考えられる。図１２は、繁忙時間帯の自動収集処理に関わる開始閾値及び終了閾値の関係を示す説明図である。
【０１２２】
そこで、繁忙時間帯では、バラ硬貨（バラ紙幣）の包装動作（結束動作）の機会を減らすべく、図１２に示すように自動収集処理の開始閾値及び終了閾値を自動的に設定変更するようにしても良く、この場合、束紙幣出金部２及び棒金出金部５側の負担を大幅に軽減できる。その後、現在時刻が締上げ時間帯に到達した場合、棒金（束紙幣）を多く作成すべく、自動収集処理の開始閾値及び終了閾値を設定変更するようにしても良い。その結果、棒金や束紙幣を多く作成することで、貨幣を計数する作業負担を大幅に軽減できる。
【０１２３】
また、本実施例では、現在日時が貨幣回収日の１週間前に到達すると、回収前自動収集処理の開始閾値及び終了閾値を自動的に設定した。しかしながら、金融機関の店舗内のＡＴＭや両替機等に装填する貨幣の量を考慮する必要がある。
【０１２４】
そこで、貨幣処理装置１では、店舗内の全貨幣の保有量を管理する管理装置と通信接続し、この管理装置の全バラ貨幣の保有量に基づき、自動収集処理の設定閾値を変更するようにしても良く。この場合、店舗内の全バラ貨幣の保有量に基づき、バラ硬貨（バラ紙幣）及び棒金（束紙幣）の現在量を調整できる。その結果、ＡＴＭや両替機等に装填する貨幣の量を確保できる。
【０１２５】
また、本実施例では、バラ硬貨（バラ紙幣）の現在収納枚数が開始閾値に到達した場合、バラ硬貨（バラ紙幣）に対する包装（結束）動作を開始し、バラ硬貨（バラ紙幣）の現在収納枚数が終了閾値未満の場合、バラ硬貨（バラ紙幣）に対する包装（結束）動作を停止した。しかしながら、バラ硬貨（バラ紙幣）ではなく、棒金（束紙幣）の現在収納枚数を監視し、棒金（束紙幣）の現在収納枚数が第１設定閾値未満の場合、バラ硬貨（バラ紙幣）に対する包装（結束）動作を開始する。そして、棒金（束紙幣）の現在収納枚数が第２設定閾値以上の場合、バラ硬貨（バラ紙幣）に対する包装（結束）動作を停止するようにしても、同様の効果が得られること言うまでもない。尚、この場合、第１設定閾値＜第２設定閾値に設定するものとする。
【０１２６】
また、本実施例では、現在日時が貨幣回収日の１週間前に到達した場合、回収前自動収集処理の開始閾値及び終了閾値を一律に設定した。しかしながら、貨幣回収日の１週間前から貨幣回収日当日まで開始閾値及び終了閾値を段階的に設定変更したとしても、同様の効果が得られることは言うまでもない。
【０１２７】
以上、上記実施例について説明したが、本実施例によって本願の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１２８】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１２９】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１３０】
さらに、各装置で行われる各種処理機能は、ＣＰＵ（Ｃｅｎｔｒａｌ  Ｐｒｏｃｅｓｓｉｎｇ  Ｕｎｉｔ）、（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０１３１】
本発明の貨幣処理装置及び貨幣処理方法は、使用用途等の所定条件に応じて、バラ貨幣の結束又は包装を開始する開始閾値を適宜設定変更し、貨幣処理装置内のバラ貨幣及び結束包装貨幣の現在量を調整できるため、例えば、金融機関等で使用される貨幣処理装置に有用である。
【符号の説明】
【０１３２】
１  貨幣処理装置
２Ａ  紙幣結束部
５Ａ  硬貨包装部
２２  記憶部
２２Ａ  閾値テーブル
２２Ｂ  現在閾値記憶部
２５Ａ  駆動制御部
２５Ｂ  制御部
２５１  収納枚数監視部
２５２  閾値設定部
２５３  閾値判定部
３０６  バラ紙幣収納部
６０４  バラ硬貨収納部
【図１】
0005474459.tif 000002
【図２】
0005474459.tif 000003
【図３】
0005474459.tif 000004
【図４】
0005474459.tif 000005
【図５】
0005474459.tif 000006
【図６】
0005474459.tif 000007
【図７】
0005474459.tif 000008
【図８】
0005474459.tif 000009
【図９】
0005474459.tif 000010
【図１０】
0005474459.tif 000011
【図１１】
0005474459.tif 000012
【図１２】
0005474459.tif 000013